(57)【要約】      （修正有）【課題】様々な天井高さの室内に取り付け可能であって、ライフスタイルの変化や様々なニーズに対応できる洗練された室内環境を実現できる付け柱を提供する。【解決手段】付け柱１は、床固定部１０、切断可能部、溝部３０、貫通孔４０及び溝部３０を覆うカバー５０を備える。切断可能部は長手方向Ｚにおける第２の端部において、天井１０２の高さに合わせて切断可能に構成されている。溝部３０は、第１の端部１１から第２の端部に亘って長手方向Ｚに連続して形成されている。貫通孔４０は溝部３０において、切断可能部よりも第１の端部１１側の位置に設けられている。床固定部１０は溝部３０において釘又はボルトが斜め打ちされて床面１０１に固定されるように構成されている。切断可能部は天井１０２の高さに合わせて切断された後、溝部３０において釘又はボルトが斜め打ちされて天井１０２に固定されるように構成されている。【選択図】図８
0003232089.tif 000002
【実用新案登録請求の範囲】
【請求項１】
室内に設けられる付け柱であって、
長手方向における第１の端部において、上記室内の床面に固定されるよう構成された床固定部と、
長手方向における第２の端部において、上記室内の天井の高さに合わせて切断可能に構成された切断可能部と、
少なくとも一つの側面において、上記第１の端部から上記第２の端部に亘って長手方向に連続して形成された溝部と、
上記溝部において、反対側の側面まで貫通して形成されて締結部材が挿通可能に構成された複数の貫通孔と、
上記溝部を覆うカバーと、
を備え、
上記複数の貫通孔は、上記切断可能部よりも上記第１の端部側の位置に設けられており、
上記床固定部は、上記溝部において、釘又はボルトが斜め打ちされて上記床面に固定されるように構成されており、
上記切断可能部は、上記天井の高さに合わせて切断された後、上記溝部において、釘又はボルトが斜め打ちされて上記天井に固定されるように構成されている、付け柱。
【請求項２】
上記切断可能部は、上記第２の端部における端面から６００ｍｍ以下の範囲に形成されている、請求項１に記載の付け柱。
【請求項３】
上記複数の貫通孔は、長手方向において上記第１の端部から上記切断可能部に至るまでの間に等間隔の位置に設けられている、請求項１又は２に記載の付け柱。
【請求項４】
上記複数の貫通孔に挿通された締結部材を介して、パネル、ルーバー部材及び収納棚の少なくとも一つが着脱可能に取り付けられるように構成されている、請求項１〜３のいずれか一項に記載の付け柱。
【考案の詳細な説明】
【技術分野】
【０００１】
本考案は、付け柱に関する。
【背景技術】
【０００２】
従来、居室に、建物の構造材とは独立した柱である付け柱を設けて、所望の間取りとしたり、造り付けの収納棚など設けたり、意匠性を高めたりすることが行われている。例えば、特許文献１には、室内の床面と天井面とに跨って設けられる化粧柱の構成が開示されている。当該化粧柱は、床面及び天井面に固定するために、予め化粧柱の上端及び下端に掘込部を形成するとともに、床面及び天井面に所定の固定金具を取り付け、当該固定金具を化粧柱の掘込部に入り込ませて固定金具を掘込部の内部で化粧柱にねじ止めした後、掘り込み部をカバーで覆っている。かかる構成によれば、室内の所定の位置に化粧柱を有下面から天井面に亘って設けることを可能としている。
【先行技術文献】
【特許文献】
【０００３】
【特許文献１】特許第５８８０４０３号公報
【考案の概要】
【考案が解決しようとする課題】
【０００４】
しかしながら、特許文献１に開示の構成では予め化粧柱の上端及び下端に掘込部を形成しているため、化粧柱の長さと室内の天井の高さとを一致させておく必要がある。そのため、特許文献１の化粧柱を天井高さが異なる複数の室内に適用させることが困難である。従って、天井の高さに応じた、種々の高さの化粧柱を用意しておく必要がある。また、当該化粧柱を収納棚用の柱やルーバー壁用の柱などに転用したりすることは困難であるため、洗練された室内環境を提供するには十分ではない。
【０００５】
本考案は、かかる背景に鑑みてなされたもので、様々な天井高さの室内に取り付け可能であって、ライフスタイルの変化や様々なニーズに対応できる洗練された室内環境を実現できる付け柱を提供しようとするものである。
【課題を解決するための手段】
【０００６】
本考案の一態様は、室内に設けられる付け柱であって、
長手方向における第１の端部において、上記室内の床面に固定されるよう構成された床固定部と、
長手方向における第２の端部において、上記室内の天井の高さに合わせて切断可能に構成された切断可能部と、
少なくとも一つの側面において、上記第１の端部から上記第２の端部に亘って長手方向に連続して形成された溝部と、
上記溝部において、反対側の側面まで貫通して形成されて締結部材が挿通可能に構成された複数の貫通孔と、
上記溝部を覆うカバーと、
を備え、
上記複数の貫通孔は、上記切断可能部よりも上記第１の端部側の位置に設けられており、
上記床固定部は、上記溝部において、釘又はボルトが斜め打ちされて上記床面に固定されるように構成されており、
上記切断可能部は、上記天井の高さに合わせて切断された後、上記溝部において、釘又はボルトが斜め打ちされて上記天井に固定されるように構成されている、付け柱にある。
【考案の効果】
【０００７】
本考案の付け柱によれば、長手方向の第２の端部に貫通孔が設けられていない切断可能部を有する。そして、切断可能部を切断することにより、付け柱の長手方向の長さを室内の天井の高さに合わせることができるため、室内の天井の高さに合わせた種々の付け柱を用意しておく必要がない。また、床固定部は溝部において、釘又はボルトを斜め打ちして上記床面に固定することができ、切断可能部は天井の高さに合わせて切断された後、溝部においてボルトを斜め打ちして上記天井に固定することができる。そして、溝部に設けられた複数の貫通孔を挿通する締結部材を介してパネルやルーバーや収納部などを取り付けることができる。その後、当該溝部をカバーにより覆うことができる。これらにより、溝部に形成された貫通孔と、天井及び床面に固定するための釘やボルトとがカバーにより一括して覆われて隠されるため、見栄えを良くすることができる。
【０００８】
また、溝部に設けられた複数の貫通孔に挿通された締結部材を取り除くことにより、付け柱を室内に固定した状態のまま、付け柱に取り付けられていたパネルやルーバーや収納部などを取り外したり、変更したりすることができる。これにより、ライフスタイルの変化や様々なニーズに対応可能な洗練された室内環境を実現できる。
【０００９】
以上のごとく、本考案によれば、様々な天井高さの室内に取り付け可能であって、ライフスタイルの変化や様々なニーズに対応できる洗練された室内環境を実現できる付け柱を提供することができる。
【図面の簡単な説明】
【００１０】
【図１】実施形態１における、付け柱を室内に設置した状態を表す斜視図。
【図２】実施形態１における、付け柱の斜視図。
【図３】実施形態１における、（ａ）付け柱の第１側面図、（ｂ）付け柱の第２側面図、（ｃ）付け柱の正面図、（ｄ）付け柱の背面図、（ｅ）カバーの正面図。
【図４】図３（ｃ）におけるIV-IV線位置断面図。
【図５】図３（ｅ）におけるV-V線位置断面図。
【図６】実施形態１における、付け柱の切断位置を示す斜視概念図。
【図７】実施形態１における、付け柱を室内に設置した状態を示す正面図。
【図８】実施形態１における、（ａ）付け柱の天井への固定態様を説明する断面図、（ｂ）付け柱とパネルとの固定態様を説明する断面図、（ｃ）付け柱の床面への固定態様を説明する断面図。
【図９】図８（ｂ）におけるIV-IV線位置断面図。
【図１０】実施形態２における、付け柱を室内に設置した状態を示す正面図。
【図１１】図１０におけるXI-XI線位置断面一部拡大図。
【図１２】実施形態３における、付け柱を室内に設置した状態を示す正面図。
【図１３】図１２におけるXIII-XIII線位置断面一部拡大図。
【考案を実施するための形態】
【００１１】
上記切断可能部は、上記第２の端部における端面から６００ｍｍ以下の範囲に形成されていることが好ましい。一般的に、室内の天井の高さのバラツキは６００ｍｍの範囲内に収まることが多いため、切断可能部を当該範囲とすることにより、当該付け柱を一般的な室内に適用することが容易となる。
【００１２】
上記複数の貫通孔は、長手方向において上記第１の端部から上記切断可能部に至るまでの間に等間隔の位置に設けられていることが好ましい。この場合は、当該貫通孔を介して取り付けるパネル、ルーバー部材及び収納棚などを所望の高さ位置に取り付けることができ、ライフスタイルやニーズにより一層応じやすくなる。
【００１３】
上記付け柱は、上記複数の貫通孔に挿通された締結部材を介して、パネル、ルーバー部材及び収納棚の少なくとも一つが着脱可能に取り付けられるように構成されていることが好ましい。この場合は、当該付け柱を利用して、室内の間仕切り、目隠し又は収納棚を所望の位置に設けたり、これらの機能を兼ね備える構造物を室内の所望の位置に設けたりすることができる。さらに、ライフスタイルやニーズの変化に応じて、間仕切り、目隠し及び収納棚の構成を容易に変更することができる。
【実施例】
【００１４】
（実施形態１）
実施形態１の付け柱１について、図１〜図８を用いて説明する。
実施形態１の付け柱１は、図１に示すように室内１００に設けられ、図２に示すように、床固定部１０、切断可能部２０、溝部３０、貫通孔４０及びカバー５０を備える。
床固定部１０は、長手方向Ｚにおける第１の端部１１において、図１に示すように、室内１００の床面１０１に固定されるよう構成されている。
図２に示すように、切断可能部２０は、長手方向Ｚにおける第２の端部１２において、図１に示す室内１００の天井１０２の高さに合わせて切断可能に構成されている。
図２に示すように、溝部３０は、少なくとも一つの側面１ａ〜１ｄにおいて、第１の端部１１から第２の端部１２に亘って長手方向Ｚに連続して形成されている。
図２及び図３に示すように、貫通孔４０は複数設けられ、上記溝部３０において反対側の側面１ａ〜１ｄまで貫通して形成されて締結部材が挿通可能に構成されている。
カバー５０は、溝部３０を覆う。
複数の貫通孔４０は、切断可能部２０よりも第１の端部１１側の位置に設けられている。
床固定部１０は、溝部３０において、釘又はボルトが斜め打ちされて床面１０１に固定されるように構成されている。
切断可能部２０は、天井１０２の高さに合わせて切断された後、溝部３０において、釘又はボルトが斜め打ちされて天井１０２に固定されるように構成されている。
【００１５】
以下、本実施形態の付け柱１について、詳述する。
本実施形態では、図１に示すように、付け柱１は柱状を有しており、室内１００の床面１０１に固定され、上端が天井１０２に固定された状態で室内１００に設置される。本実施形態１では、図２に示すように、付け柱１は四角柱状であるが、これに限らず、例えば、六角柱状などの多角形柱としたり、円柱状としたりすることもできる。なお、本実施形態１では、付け柱１における第１の側面を符号１ａ、第１の側面と反対側の第２の側面を符号１ｂ、正面を符号１ｃ、背面を符号１ｄで示す。また、付け柱１の長手方向を符号Ｚ、第１の側面１ａの幅方向を符号Ｘ、正面１ｃの幅方向を符号Ｙで示す。
【００１６】
図２に示す付け柱１の長手方向Ｚの長さＨ０は、限定されず、例えば、２０００〜３５００ｍｍとすることができる。室内１００の天井１０２は、一般的に２４００ｍｍ程度が平均的な高さであるため、付け柱１の長さＨ０は、天井１０２の平均的な当該高さよりも高い又は同じである２４００〜３０００ｍｍとすることが好ましい。この範囲とすることにより、取り付け時に付け柱１切断して、天井１０２の高さに正確に合わせやすくなる。図４に示すように、付け柱１における長手方向Ｚに直交する端面の形状は、本実施形態１では、一辺８０ｍｍの略正方形となっており、当該角部は面取りされた形状となっている。また、本実施形態１では、図４に示すように、付け柱１は本体１５の表面に化粧シート１６が貼り付けられている。なお、本体１５の材質は限定されないが、木製とすることができる。
【００１７】
図２及び図３に示すように、本実施形態１の付け柱１は第１の側面１ａ、第２の側面１ｂ、正面１ｃ、背面１ｄの４つの面を有する。そのうちの背面１ｂ及び第１の側面１ｃには溝部３０が形成されている。溝部３０は、付け柱１の長手方向Ｚにおいて、一方の端部である第１の端部１１から他方の端部である第２の端部１２に亘って連続して形成されている。溝部３０は段差部３５を有しており、底部３１に比べて開口部３２は幅広に形成されている。溝部３０の大きさは限定されないが、本実施形態１では、底部３１の深さは１５ｍｍ、開口部３２の開口幅は２０．５ｍｍとしている。
【００１８】
図３及び図４に示すように、溝部３０には、複数の貫通孔４０が設けられている。第２の側面１ｂの貫通孔４０は、図４に示すように、反対側の第１の側面１ａまで貫通しており、正面１ｃの貫通孔４０は、図４に示すように、反対側の背面１ｄまで貫通している。そして、図３（ｂ）に示すように、第２の側面１ｂの貫通孔４０は、第１の端部１１から第２の端部１２に向けて５０ｍｍ間隔で３９個設けられている。そして、第２の端部１２の端面から所定の範囲Ｈ２には貫通孔４０は設けられておらず、当該範囲が切断可能部２０となっている。第２の端部１２の端面から所定の範囲Ｈ２は、例えば、６００ｍｍ以下とすることができ、本実施形態１では、５５０ｍｍとしている。また、図３（ｃ）に示すように、正面１ｃの貫通孔４０は、第２の側面１ｂの貫通孔４０と干渉しない位置に５個形成されている。
【００１９】
溝部３０には、図３（ｅ）に示すカバー５０が取りつけられる。カバー５０は樹脂製とすることができる。図５に示すように、断面略コ字状に形成されており、幅方向の両側に外方に突出するとともに弾性変形可能な爪部５１を有する。図９に示すように、カバー５０は幅の大きさは溝部３０の開口部３２の開口幅と略同一である。カバー５０は爪部５１が弾性変形して開口部３２の内壁に係合することにより溝部３０を覆うように付け柱１に取り付けることができる。本実施形態１では、カバー５０を付け柱１に取り付けた状態で、第２の側面１ｂとカバー５０の表面とは面一となっている。また、正面１ｃとカバー５０の表面とも面一となっている。
【００２０】
次に、付け柱１の室内１００への設置方法について説明する。
図６に示すように、切断可能部２０において、第１の端部１１から室内１００の天井１０２の高さＨ１の位置にて付け柱１を切断する。これにより、付け柱１の長さを天井１０２の高さＨ１と一致させるとともに、形成された切断面１３が上端面となる。そして、図７に示すように、第１の端部１１を下方にして、付け柱１を床面１０１に立てる。本実施形態１では、図８（ｃ）に示すように、第１の端部１１と床面１０１との間に防振シート１０３を介在させている。そして、付け柱１の下端部において、溝部３０に床面１０１に対して向けて斜めにボルト１４を打ち込む。これにより、付け柱１が床面１０１に固定する床固定部１０が形成される。次いで、図８（ａ）に示すように、付け柱１の上端の切断面１３が天井１０２に当接した状態で、付け柱１の上端部において、溝部３０に天井１０２に対して向けて斜めにボルト１４を打ち込む。これにより、付け柱１が天井１０２に固定する天井固定部２１が形成される。そして、図１に示すように、床固定部１０と天井固定部２１とにより、付け柱１が室内１００の床面１０１から天井１０２に亘って固定されることとなる。
【００２１】
本実施形態１では、図７に示すように、左右対称の形状を有する一対の付け柱１を向かい合わせの状態で室内１００に固定する。そして、両者の間にパネル６０を設ける。パネル６０は、幅方向Ｙに延びる複数の桟材６１と、これらを挟むように桟材６１に固定された設けられた一対の板材６２からなる。板材６２の材質は限定されず、木製としたり、ケイ酸カルシウム製としたり、樹脂製としたりすることができる。例えば、透光性を有するアクリル板やポリカーボネート板を板材６２とすることにより、パネル６０により光が過剰に遮られることを防止できる。図７に示す複数の桟材６１のうち、上端と下端に位置するものを除く内側の桟材６１は、図８（ｂ）示すように、貫通孔４０を挿通するボルト１７を介して付け柱１に固定される。その後、天井１０２の高さＨ１に合わせて切断させれたカバー５０を付け柱１に取り付けて、図７〜図９に示すように、溝部３０を覆う。
【００２２】
本実施形態１では、図１に示すように、付け柱１には袖壁６５が固定されている。図９に示すように、袖壁６５は、付け柱１の背面１ｄにおいて貫通孔４０に挿通されたボルト１７を介して付け柱１に取り付けられている。
【００２３】
なお、本実施形態１では、一対の付け柱１の間にパネル６０を設けたが、これに替えてルーバー部材や収納棚を取り付けてもよい。
【００２４】
次に、本実施形態の付け柱１における作用効果について、詳述する。
本実施形態１では、付け柱１は長手方向Ｚの第２の端部１２に貫通孔４０が設けられていない切断可能部２０を有する。そして、切断可能部２０を切断することにより、付け柱１の長手方向Ｚの長さＨ０を室内１００の天井１０２の高さＨ１に合わせことができるため、室内１００の天井１０２の高さＨ１に合わせた種々の付け柱を用意しておく必要がない。また、床固定部１０は溝部３０において、釘又はボルトを斜め打ちして床面１０１に固定することができ、切断可能部２０は天井１０２の高さＨ１に合わせて切断された後、溝部３０においてボルト１４を斜め打ちして天井１０２に固定することができる。そして、溝部３０に設けられた複数の貫通孔４０を挿通する締結部材としてのボルト１４を介してパネル６０やルーバー部材や収納棚などを取り付けることができる。その後、当該溝部３０をカバー５０により覆うことができる。これらにより、溝部３０に形成された貫通孔５０と、天井１０２及び床面１０１に固定するための釘やボルトとがカバー５０により一括して覆われるため、見栄えを良くすることができる。
【００２５】
また、溝部３０に設けられた複数の貫通孔４０に挿通された締結部材１７を取り除くことにより、付け柱１を室内１００に固定した状態のまま、付け柱１に取り付けられていたパネル６０やルーバー部材や収納棚などを取り外したり、変更したりすることができる。これにより、ライフスタイルの変化や様々なニーズに対応可能な洗練された室内環境を実現できる。
【００２６】
本実施形態１では、切断可能部２０は、第２の端部１２における端面から６００ｍｍの範囲Ｈ２に形成されている。これにより、様々な高さの天井１０２を有する室内１００に取り付けやすくなる。
【００２７】
本実施形態１では、上記複数の貫通孔４０は、長手方向Ｚにおいて第１の端部１１から切断可能部２０に至るまでの間に等間隔の位置に設けられている。これにより、付け柱１に取り付けるパネルやルーパー部材や収納棚の位置を任意の高さ位置に取り付けやすくなっている。
【００２８】
本実施形態１では、複数の貫通孔４０に挿通された締結部材としてのボルト１７を介して、パネル、ルーバー壁及び収納棚の少なくとも一つが着脱可能に取り付けられるように構成されている。これにより、ライフスタイルやニーズの変更に応じてこれらの配置を変更することができる。
【００２９】
以上のごとく、本考案によれば、様々な天井高さの室内に取り付け可能であって、ライフスタイルの変化や様々なニーズに対応できる洗練された室内環境を実現できる付け柱を提供することができる。
【００３０】
（実施形態２）
実施形態２では、上述の実施形態１におけるパネル６０に替えて、図１０に示すように、一対の付け柱１の間に複数のルーバー部材６６を設けて、ルーバー壁を形成している。ルーバー部材６６は細板状であって、ルーバー部材６６の長手方向が一対の付け柱１の並び方向Ｙと一致するように設けられる。図１１（ａ）に示すように、ルーバー部材６６は、ルーバー部材６６の幅方向が、付け柱１の長手方向Ｚと平行となるようにしてもよいし、図１１（ｂ）に示すように、付け柱１の長手方向Ｚに対して傾斜した状態にしてもよい。また、図１１（ａ）及び図１１（ｂ）では、複数の貫通孔４０において、ルーバー部材６６は一つおきに設けることとしたが、これに限らず、所定の間隔で設けることができる。なお、実施形態２において、実施形態１と同等の部材には同一の符号を付してその説明を省略する。本実施形態２においても実施形態１の場合と同等の作用効果を奏する。
【００３１】
（実施形態３）
図１２に示す実施形態３では、実施形態２のルーバー部材６６に替えて、複数の収納棚６７が一対の付け柱１の間に取り付けられている。収納棚６７は、図１３に示すように、筒状に形成されており、実施形態２におけるルーバー部材６６と同様に付け柱１に取り付けられている。本実施形態３においても実施形態１の場合と同等の作用効果を奏する。
【００３２】
本考案は上記各実施形態に限定されるものではなく、その要旨を逸脱しない範囲において種々の実施形態に適用することが可能である。
【符号の説明】
【００３３】
１  付け柱
１０  床固定部
２０  切断可能部
２１  天井固定部
３０  溝部
４０  貫通孔
５０  カバー
６０  パネル
６６  ルーバー部材
６７  収納棚
１０１  床面
１０２  天井
【図１】
0003232089.tif 000003
【図２】
0003232089.tif 000004
【図３】
0003232089.tif 000005
【図４】
0003232089.tif 000006
【図５】
0003232089.tif 000007
【図６】
0003232089.tif 000008
【図７】
0003232089.tif 000009
【図８】
0003232089.tif 000010
【図９】
0003232089.tif 000011
【図１０】
0003232089.tif 000012
【図１１】
0003232089.tif 000013
【図１２】
0003232089.tif 000014
【図１３】
0003232089.tif 000015